(57)【要約】【課題】  使い捨て用途に適した安価な吸引用貯留器及び吸引用貯留装置を提供する。【解決手段】  軟性材料からなる袋状の貯留部４に２つの被保持部７を設ける。ホルダーケース１０には、所定の距離を隔てて一対の固定レール１３が配置されている。袋状の貯留部４の各被保持部７，７を各固定レール１３，１３にそれぞれ装着することで、袋状の貯留部４を膨らませた状態で保持する。これにより、貯留部４内が陰圧となっても、貯留部４が膨らんだ状態を保持でき、排液が貯留される内部空間容積を確保できる。【選択図】  図２
2007300954.tif 000002
【特許請求の範囲】
【請求項１】
排液を吸引して集液するための吸引用貯留器であって、
排液を貯留する袋状の貯留部と、
排液を前記貯留部に導入する排液側接続部材と、
前記貯留部から気体を排出する吸引側接続部材とを備え、
前記貯留部は前記袋状の貯留部を膨らませた状態で着脱可能に保持するための少なくとも２つの被保持部を備えることを特徴とする吸引用貯留器。
【請求項２】
請求項１記載の吸引用貯留器において、前記袋状の貯留部には吸引の際に前記袋状の貯留部が膨らむ状態からの収縮を防止する収縮防止補助板が設けられることを特徴とする吸引用貯留器。
【請求項３】
請求項２記載の吸引用貯留器において、前記袋状の貯留部には前記収縮防止補助板を覆う内部隔壁が設けられることを特徴とする吸引用貯留器。
【請求項４】
請求項１記載の吸引用貯留器において、前記被保持部は、前記貯留部の内部に設けられ、少なくとも１対の凹凸状部材からなるロック機構であり、
前記ロック機構は、袋状の貯留部の一方の内面側から突出されたピン部材と、袋状の貯留部の他方の内面側から突出された筒部材とを備え、前記筒部材の中に前記ピン部材が挿入されたクローズ状態から袋状の貯留部を膨らませると、前記ピン部材の先端側に設けた溝部に前記筒部材の先端に設けた爪部が係合して袋状の貯留部を膨らませた状態に保持するオープン状態になることを特徴とする吸引用貯留器。
【請求項５】
請求項１〜４のいずれかに記載の吸引用貯留器において、液体吸収剤または凝固剤を投入する投入口を備えることを特徴とする吸引用貯留器。
【請求項６】
排液を貯留する袋状の貯留部と、排液を前記貯留部に導入する排液側接続部材と、前記貯留部から気体を排出する吸引側接続部材とを有する吸引用貯留器と、
前記袋状の貯留部を広げた状態で保持するホルダーケースとを備え、
前記吸引用貯留器は、前記袋状の貯留部を膨らませた状態で着脱可能に保持するための少なくとも２つの被保持部が設けられ、
前記ホルダーケースは、前記被保持部をそれぞれ保持する保持手段が設けられることを特徴とする吸引用貯留装置。
【請求項７】
排液を貯留する袋状の貯留部と、排液を前記貯留部に導入する排液側接続部材と、前記貯留部から気体を排出する吸引側接続部材とを有する吸引用貯留器と、
前記袋状の貯留部を広げた状態で保持するホルダーケースとを備え、
前記ホルダーケースは、前記袋状の貯留部を膨らませた状態で着脱可能に保持するための少なくとも２つの被保持部が設けられ、
前記吸引用貯留器は、前記被保持部をそれぞれ保持する保持手段が設けられる
ことを特徴とする吸引用貯留装置。
【請求項８】
請求項６または７記載の吸引用貯留装置において、前記被保持部と前記保持手段は、面ファスナから構成されることを特徴とする吸引用貯留装置。
【請求項９】
請求項６〜８記載の吸引用貯留装置において、前記袋状の貯留部には吸引の際に前記袋状の貯留部が膨らむ状態からの収縮を防止する収縮防止補助板が設けられることを特徴とする吸引用貯留器。
【請求項１０】
請求項９記載の吸引用貯留装置において、前記袋状の貯留部には前記収縮防止補助板を覆う内部隔壁が設けられることを特徴とする吸引用貯留装置。
【請求項１１】
請求項６〜１０のいずれかに記載の吸引用貯留装置において、前記吸引用貯留器は液体吸収剤または凝固剤を投入する投入口を備えることを特徴とする吸引用貯留装置。
【発明の詳細な説明】
【技術分野】
【０００１】
本発明は、医療用及びその他の吸引用貯留器および吸引用貯留装置に関するものである。
【背景技術】
【０００２】
従来、病院等の医療機関においては、手術等により生じた創腔あるいは口腔、咽喉又は鼻腔等の患部から排出される血液、浸出液、分泌液等の排液を取り除くために、吸引ポンプを使用した吸引用貯留器が使用されている。
【０００３】
吸引用貯留器としては、貯留容器に、排液が流入する排液口、吸引ポンプ等の吸引装置に接続される吸引口とが設けられ、吸引口には排液が吸引装置に逆流しないように排液逆流防止弁が設けられている（例えば特許文献１参照）。
【０００４】
また、図８は、従来の他の吸引用貯留器の構造を示す図であり、この従来の他の吸引貯留器６０は、密閉硬質容器６１内に排液貯留袋６２が設けられている。６３は排液導入口、６４は吸気導出口（吸気側接続口）である。密閉硬質容器６１内を陰圧にすることによって排液貯留袋６２を膨らませ、これにより陰圧空間容積を確保し、間接吸引と直接吸引を併用することで、排液を排液貯留袋６２に貯留するようにしている。
【０００５】
【特許文献１】実開平２−３７６５１号公報
【発明の開示】
【発明が解決しようとする課題】
【０００６】
従来の吸引用貯留器は、ガラス製の貯留容器や密閉硬質容器を用いているため高価であり、使い捨て用途には適さなかった。吸引用容器を再利用するには、洗浄、消毒等の手間が必要であるとともに、洗浄時に感染を発生させないよう注意を払う必要がある。
【０００７】
本発明は上記の事情に鑑みてなされたもので、使い捨て用途に適した安価な吸引用貯留器を提供することを目的とする。
【課題を解決するための手段】
【０００８】
上記課題を解決するため、本発明に係る吸引用貯留器は、特許請求の範囲の請求項１〜５に記載の手段を採用する。
【０００９】
即ち、請求項１に記載のように、排液を吸引して集液するための吸引用貯留器であって、排液を貯留する袋状の貯留部と、排液を前記貯留部に導入する排液側接続部材と、前記貯留部から気体を排出する吸引側接続部材とを備え、前記貯留部は前記袋状の貯留部を膨らませた状態で着脱可能に保持するための少なくとも２つの被保持部を備えることを特徴とする。
【００１０】
また、請求項２に記載のように、請求項１の吸引用貯留器において、前記袋状の貯留部には吸引の際に前記袋状の貯留部が膨らむ状態からの収縮を防止する収縮防止補助板が設けられることを特徴とする。
【００１１】
また、請求項３に記載のように、請求項２の吸引用貯留器において、前記袋状の貯留部には前記収縮防止補助板を覆う内部隔壁が設けられることを特徴とする。
【００１２】
また、請求項４に記載のように、請求項１の吸引用貯留器において、前記被保持部は、前記貯留部の内部に設けられ、少なくとも１対の凹凸状部材からなるロック機構であり、前記ロック機構は、袋状の貯留部の一方の内面側から突出されたピン部材と、袋状の貯留部の他方の内面側から突出された筒部材とを備え、前記筒部材の中に前記ピン部材が挿入されたクローズ状態から袋状の貯留部を膨らませると、前記ピン部材の先端側に設けた溝部に前記筒部材の先端に設けた爪部が係合して袋状の貯留部を膨らませた状態に保持するオープン状態になることを特徴とする。
【００１３】
また、請求項５に記載のように、請求項１〜４の吸引用貯留器において、液体吸収剤または凝固剤を投入する投入口を備えることを特徴とする。
【００１４】
上記課題を解決するため、本発明に係る吸引用貯留装置は、特許請求の範囲の請求項６〜１１に記載の手段を採用する。
【００１５】
即ち、請求項６に記載のように、排液を貯留する袋状の貯留部と、排液を前記貯留部に導入する排液側接続部材と、前記貯留部から気体を排出する吸引側接続部材とを有する吸引用貯留器と、前記袋状の貯留部を広げた状態で保持するホルダーケースとを備え、前記吸引用貯留器は、前記袋状の貯留部を膨らませた状態で着脱可能に保持するための少なくとも２つの被保持部が設けられ、前記ホルダーケースは、前記被保持部をそれぞれ保持する保持手段が設けられることを特徴とする。
【００１６】
また、請求項７に記載のように、排液を貯留する袋状の貯留部と、排液を前記貯留部に導入する排液側接続部材と、前記貯留部から気体を排出する吸引側接続部材とを有する吸引用貯留器と、前記袋状の貯留部を広げた状態で保持するホルダーケースとを備え、前記ホルダーケースは、前記袋状の貯留部を膨らませた状態で着脱可能に保持するための少なくとも２つの被保持部が設けられ、前記吸引用貯留器は、前記被保持部をそれぞれ保持する保持手段が設けられることを特徴とする。
【００１７】
また、請求項８に記載のように、請求項６または７の吸引用貯留装置において、前記被保持部と前記保持手段は、面ファスナから構成されることを特徴とする。
【００１８】
また、請求項９に記載のように、請求項６〜８の吸引用貯留装置において、前記袋状の貯留部には吸引の際に前記袋状の貯留部が膨らむ状態からの収縮を防止する収縮防止補助板が設けられることを特徴とする。
【００１９】
また、請求項１０に記載のように、請求項９の吸引用貯留装置において、前記袋状の貯留部には前記収縮防止補助板を覆う内部隔壁が設けられることを特徴とする。
【００２０】
また、請求項１１に記載のように、請求項６〜１０の吸引用貯留装置において、前記吸引用貯留器は液体吸収剤または凝固剤を投入する投入口を備えることを特徴とする。
【発明の効果】
【００２１】
請求項１に記載の発明においては、袋状の貯留部を膨らませた状態にすることで、内容積を確保でき、排液を貯留することができる。また、ガラス製の貯留器や密閉硬質容器が不用となるので、使い捨て用途に適した安価な吸引用貯留器を提供することができる。
【００２２】
請求項２に記載の発明においては、袋状の貯留部に収縮防止補助板を設けることで、局部の陰圧負荷を分散し、貯留部の容積拡大を図ることができる。
【００２３】
請求項３に記載の発明においては、収縮防止補助板を覆う内部隔壁を設けることで、貯留部内の陰圧の漏気を防止できる。
【００２４】
請求項４に記載の発明においては、被保持部は、前記貯留部の内部に設けられ、少なくとも１対の凹凸状部材からなるロック機構であるため、ロック機構によって袋状の貯留部を膨らませた状態で保持することができる。
【００２５】
請求項５に記載の発明においては、液体吸収剤又は凝固剤の投入口を備えることで、使用後に貯留部内に液体吸収剤又は凝固剤を投入することができ、これにより排液の散乱を防止できる。
【００２６】
請求項６に記載の発明においては、袋状の貯留部を広げた状態で保持するホルダーケースを備えるため、吸引用貯留器の被保持部をホルダーケースの保持手段に係合させて装着することで、袋状の貯留部内が陰圧になっても、袋状の貯留部を膨らませた状態で保持することができる。
【００２７】
請求項７に記載の発明においては、ホルダーケースは、袋状の貯留部を膨らませた状態で着脱可能に保持するための少なくとも２つの被保持部が設けられ、吸引用貯留器は、被保持部をそれぞれ保持する保持手段が設けられることで、袋状の貯留部の突出する部分が小さくなり、収納が容易になる。
【００２８】
請求項８に記載の発明においては、面ファスナを用いることで、コストダウンを図ることができ、さらに袋状の貯留部をホルダーケースに容易に装着することができる。
【００２９】
請求項９に記載の発明においては、袋状の貯留部に収縮防止補助板を設けることで、局部の陰圧負荷を分散し、貯留部の容積拡大を図ることができる。
【００３０】
請求項１０に記載の発明においては、収縮防止補助板を覆う内部隔壁を設けることで、貯留部内の陰圧の漏気を防止できる。
【００３１】
請求項１１に記載の発明においては、吸引用貯留器に液体吸収剤又は凝固剤の投入口を設けることで、使用後に貯留部内に液体吸収剤又は凝固剤を投入することができ、これにより排液の散乱を防止できる。
【発明を実施するための最良の形態】
【００３２】
以下、本発明を実施するための最良の形態について詳細に説明する。図１は、本発明の第１の実施の形態に係る吸引用貯留器および吸引用貯留装置の構造を示す斜視図である。図２は、吸引用貯留器１００をホルダーケース１０に装着した状態を示す平面図である。本発明の第１の実施の形態に係る吸引用貯留装置は吸引用貯留器１００とホルダーケース１０とから構成される。
【００３３】
図１、２において、１は排液側接続部材、２は凝固剤投入口ネジキャップ、３は吸引側接続部材、４は軟性材料からなる袋状の貯留部、５は凝固剤投入口、６は吸入口、７は被保持部としての固定ガイド、８は樹脂製の収縮防止補助板、９は内部隔壁、１４は基部である。
【００３４】
また、１０はホルダーケース、１１は固定ベースホルダー、１２は固定ベース、１３は保持手段としての固定レールである。
【００３５】
袋状の貯留部４の開口部は基部１４で密閉されている。この基部１４には、排液側接続部材１及び吸引側接続部材３が気密状態で取り付けられている。また、基部１４には、凝固剤投入口５が設けられるとともに、使用状態においてこの凝固剤投入口５は凝固剤投入口ネジキャップ２によって気密状態で閉塞されている。
【００３６】
図２に示すように、被保持部としての固定ガイド７は、袋状の貯留部４の背部と腹部とに それぞれ取り付けられている。この固定ガイド７は、袋状の貯留部４の外方へ突出した鍔部７ａを有している。
【００３７】
ホルダーケース１０は、吸引用貯留器の袋状の貯留部４を膨らませた状態で保持するものである。このホルダーケース１０は、装着された吸引用貯留器を視認できるように格子状の枠体で構成しており、固定ベースホルダー１１を介して固定ベース１２を固定している。この固定ベース１２には、吸引用貯留器の固定ガイド７の鍔部７ａに係合する固定レール１３が設けられている。図２に示すように、被保持部である固定ガイド７の鍔部７ａを固定レール１３に係合させて吸引用貯留器を装着することで、吸引用貯留器の袋状の貯留部４を膨らませた状態で保持することができる。
【００３８】
図示しない吸引ポンプ等の吸引装置によって吸引側接続部材３の吸気導出口３ａから袋状の貯留部４内の気体を吸引することで、袋状の貯留部４内が陰圧になり、図３に示すように貯留部４の容積が収縮されるが、袋状の貯留部４を膨らませた状態で固定ガイド７が保持手段（固定レール１３）に保持されることで、袋状の貯留部４には空間容積が確保される。よって、排液側接続部材１を介して排液が袋状の貯留部４内に貯留されることになる。
【００３９】
ここで、収縮防止補助板８を設けることで、空間容積を大きく確保し、陰圧による引っ張り力を分散させることができる。
【００４０】
さらに、固定ガイド７と貯留部４との接続部からの漏気を防止するために、固定ガイド７覆うように内部隔壁９を設けている。
【００４１】
使用終了後は、凝固剤投入口ネジキャップ２を取り外し、凝固剤投入口５から液体吸収剤又は凝固剤を貯留部４内へ投入することで、排液の散乱を防止することができる。これにより、吸引用貯留器の取り扱いが容易になり、廃棄物として処理ができる。
【００４２】
なお、凝固剤投入口５の上部にはシートを設けてシーリングし、凝固剤投入口ネジキャップ２でキャップをすることで、漏気を防止している。
【００４３】
本実施の形態では、袋状の貯留部４を貫通させて固定ガイド７を設けているが、固定ガイド７は袋状の貯留部４の表面側に一体成形及び、接着等によって取り付けるようにしてもよい。収縮防止補助板８は、袋状の貯留部４の表面側に固着するようにしてもよい。このようにした場合は、内部隔壁９は不用である。
【００４４】
図４は、本発明の実施の形態に係る吸引側接続部材の一具体例を示す断面図である。図４において、吸引側接続部材の吸引状態を示している。
【００４５】
吸引側接続部材３は、貯留部４と吸引ポンプ等の吸引装置とを接続するためのものであって、基部１４を連通して設けられる吸引側内管３１と、吸引側内管３１の外側に設けられる吸引側外管３４とを備える。そして、吸引側接続部材３には吸引側内管３１と吸引側外管３４とに囲まれる吸引側吸引一次室３００が形成される。さらに、吸引側外管３４の内部には、貯留部４内の排液の液面が上昇した際に、吸引側内管３１の吸気口３２からの吸引により吸気口３２を閉塞するフロートバルブ４０が設けられている。
【００４６】
吸引側内管３１は、円筒形状をしており、下端部３１２の底面に設けられた吸気口３２から気体Ｂが吸引される。また、基部１４の外部に突出した上端部３１１の吸気導出口３３（３ａ）には、吸引装置と接続するためのチューブ等が取り付けられる。
【００４７】
吸引側外管３４は、上端の蓋部３４１に吸引用内管３１を取り付けるための取付孔３５が設けられている。また、吸引側外管３４の上部側面には、貯留部４内の気体Ｂを主に吸引するための吸気口３６（吸入口６）が設けられている。吸気口３６（吸入口６）は、吸引側内管３１の吸気口３２より上方に設けられており、吸気口３２からの液体飛沫の吸い込みが防止される。さらに、吸引側外管３４の下端部３４３の側面には、貯留部４に集液された排液の液面が上昇した際に排液が流入する液流入口３７が設けられている。液流入口３７が側面に設けられているため、内部のフロートバルブ４０は排液の液面の乱れによる影響を直接受けることがない。なお、排液を気体Ｂと一緒に吸い込んでしまうことがないように、吸気口３２及び吸気口３６は液流入口３７の上方に離間して設けられている。
【００４８】
また、吸引用外管３４の下端３４２の底面には、蓋部として波除去部材３８が設けられている。波除去部材３８は、貯留部４に集液した排液の液面を安定させるもので、特に吸引側外管３４の液流入口３７付近の排液の液面の乱れを減少させる。波除去部材３８としては、吸引側外管３４の外径よりも大きい面線のものが用いられる。
【００４９】
さらに、吸引側外管３４の内部には、吸引側内管３１の吸気口３２の下方位置にフロートバルブ４０を備える。フロートバルブ４０は、内部が中空である筒体４３を備え、筒体４３の上端部と下端部には、それぞれ上蓋４２と下蓋４４とが設けられている。内部が中空である筒体４３を用いるので、フロートバルブ４０は十分な浮力を有し、排液の液面とフロートバルブ４０の上蓋との間の高低差を大きくとることができる。なお、筒体４３は中空となっているため、フロートバルブ４０の重心あるいは浮力を調整するためのウエイトバランス部材を内部に設けることができる。
【００５０】
下蓋４４は、吸引側外管３４の内径よりも小さな直径を有している。下蓋４４と吸引側外管３４との間のクリアランスとしては、フロートバルブ４０が液面の水位変動に従って移動する際に過度の抵抗が生じることがないようなクリアランスであることが好ましい。また、下蓋４４の直径は、フロートバルブ４０の側面に凸部４４１が形成されるように、筒体４３の外径よりも大きな直径であることが好ましい。凸部４４１により筒体４３との間に段差が生じるため、排液はフロートバルブ４０と吸引側外管４３との隙間を毛細管現象により上昇することがない。
【００５１】
上蓋４２は、フロートバルブ４０の側面に凸部４２１を形成するように、下蓋４４と同様の直径を有している。凸部４２１が設けられることで、フロートバルブ４０は大きく傾くことがなく、向きが安定する。さらには、排液の毛細管現象による上昇を減少させる効果がある。
【００５２】
また、フロートバルブ４０の上蓋４２には、吸引側内管３１の吸気口３２と対抗する面にパッキン４１が設けられている。パッキン４１としては、軟質性のものが用いられ、フロートバルブ４０と吸気口３２との間の密閉性が向上する。
【００５３】
また、フロートバルブ４０の上蓋４２には、吸気口３２からのフロートバルブ４０の吸引を促進するための吸引促進部材４６が設けられている。吸引促進部材４６は、内径が吸気側内管３１の外径よりも大きい円筒形状のもので、下端部の底面が上蓋４２に固定されている。フロートバルブ４０が排液の液面の上昇に伴い吸気口３２に接近すると、吸気口３２からの吸引は吸引促進部材４６の内部空間に集中される。その結果、フロートバルブ４０を吸引する吸引力が増大し、吸気口３２の閉塞が速やかに行なわれる。このため、排液の液面が低い位置で吸引の停止を行なうことができる。
【００５４】
また、フロートバルブ４０の下蓋４４には、吸引側外管３４の波除去部材３８と対向する面に凸部４５が設けられている。凸部４５は、フロートバルブ４０と波除去部材３８との接触面積を減少させるためのもので、フロートバルブ４０と波除去部材３８との間に排液が流入した際に、フロートバルブ４０の動きが表面張力による抵抗を受けることなく、液面の水位変動に対する追従性が向上する。なお、凸部４５の数、形状、大きさは適宜設定することが可能である。
【００５５】
以上の吸引側接続部材３において、貯留部４内に吸引された気体Ｂは、吸引側外管３４の吸気口３６から吸引側吸引一次室３００に吸引される。続いて、気体Ｂは、吸引側外管３４と吸引側内管３１との隙間を通って、吸引側内管３１の吸気口３２から吸引される。
【００５６】
そして、吸気口３２から吸引された気体Ｂは、吸気導出口３３を通じて吸引装置により吸引される。この際、吸気口３６と吸気口３２との間に直線的な吸気経路が形成されないので、排液の液体飛沫の吸い込みが防止される。また、吸気口３２は、液流入口３７の上方に離間して設けられているので、排液の液面が上昇した際にも排液を吸い込むことがない。
【００５７】
次に、吸引により集液された排液の液面が上昇し、吸引側外管３４の下端部３４３まで達すると、排液は液流入口３７から吸引側外管３４の内部に流入する。この際、波除去部材３８により、排液の液面の乱れが防止される。そして、排液が吸引側外管３４の内部に流入すると、フロートバルブ４０は排液の流入に従って上昇する。この際、フロートバルブ４０は、十分な浮力を有しており排液の液面とフロートバルブ４０の上端との間の高低差が大きくなるので、吸引の際に排液を吸い込むことがない。
【００５８】
続いて、フロートバルブ４０が一定の高さまで上昇すると、吸引側外管３４とフロートバルブ４０とで囲まれる容積が減少し、吸引側吸引一次室３００における吸気口３２からの吸引力が上昇する。その結果、フロートバルブ４０は、吸引側内管３１の吸気口３２からの吸引力を受けて吸気口３２を閉塞する。この際、吸引促進部材４６を設けることで、排液の液面が低い位置で吸気口３２の閉塞を行なうことができる。吸気口３２が閉塞されると、貯留部４の内部と吸引装置との吸気経路が遮断され、排液の吸引が停止する。
【００５９】
図５は、本発明の第２の実施の形態に係る吸引用貯留器および吸引用貯留装置の構造を示す斜視図である。本発明の第２の実施の形態に係る吸引用貯留装置は吸引用貯留器１００Ａとホルダーケース１０Ａとから構成される。
【００６０】
この例では、面ファスナを用いて吸引用貯留器１００Ａをホルダーケース１０Ａに取り付ける。面ファスナは、雌側と雄側からなる面状の係止又は係合具である。
【００６１】
図５において、１は排液側接続部材、２は凝固剤投入口ネジキャップ、３は吸引側接続部材、４は軟性材料からなる袋状の貯留部、５は凝固剤投入口、６は吸入口、７Ａは被保持部としての雄の面ファスナ、１４は基部である。
【００６２】
また、１０Ａはホルダーケース、１３Ａは保持手段としての雌の面ファスナである。
面ファスナ（雄の面ファスナ７Ａ、雌の面ファスナ１３Ａ）は、例えば接着剤で袋状の貯留部４、ホルダーケース１０Ａに固定される。雌の面ファスナ１３Ａも複数に分割して設けるようにしてもよい。
【００６３】
ホルダーケース１０Ａは、吸引用貯留器１００Ａの袋状の貯留部４を膨らませた状態で保持するものである。図５に示すように、被保持部である雄の面ファスナ７Ａを雌の面ファスナ１３Ａに係合させて吸引用貯留器１００Ａを装着することで、吸引用貯留器１００Ａの袋状の貯留部４を膨らませた状態で保持することができる。
【００６４】
図６は、本発明の第３の実施の形態に係る吸引用貯留器の構成を示す斜視図である。この図６は吸引用貯留器１００Ｂの使用前状態を示している。図６において、１は排液側接続部材、２は凝固剤投入口ネジキャップ、３は吸引側接続部材、４は軟性材料からなる袋状の貯留部、５は凝固剤投入口、６は吸入口、１５はロック機構である。
【００６５】
ロック機構１５は、袋状の貯留部４の一方の内面側に設けられた基材部１８から突出された複数のピン部材１６と、袋状の貯留部４の他方の内面側に設けられた基材部１９から突出された複数の筒部材１７とから構成され、ピン部材１６の先端側には溝部１６ａが形成され、筒部材１７の先端には溝部１６ａに係合する爪部１７ａが形成されている。
【００６６】
袋状の貯留部４が膨らんでいないクローズ状態では、筒部材１７の中にピン部材１６が挿入されている。袋状の貯留部４を膨らませたオープン状態では、図６に示すように、ピン部材１６の先端側に設けた溝部１６ａに筒部材１７の先端に設けた爪部１７ａが係合してロックした状態となり、貯留部４を膨らませた状態が保持される。したがって、貯留部４内を陰圧にしても、貯留部４の膨らんだ状態を保持できる。
【００６７】
なお、上述した第１の実施の形態においては、袋状の貯留部４に被保持部としての固定ガイド７を設け、ホルダーケース１０に固定ベースホルダー１１、固定ベース１２、保持手段としての固定レール１３を設ける場合について説明したが、これに限定されるものではない。例えば、図７に示すように、ホルダーケース１０に被保持部としての固定ガイド７、固定ベースホルダー１１、固定ベース１２を設け、袋状の貯留部４に保持手段としての固定レール１３を設けるようにしてもよい。
【産業上の利用可能性】
【００６８】
この発明は、病院等の医療機関においては、手術等により生じた創腔あるいは口腔、咽喉又は鼻腔等の患部から排出される血液、浸出液、分泌液等の排液を取り除くための吸引用貯留器および吸引用貯留装置として利用できる。また、病院等の医療機関においても液体を取り除くための吸引用貯留器および吸引用貯留装置として利用できる。
【図面の簡単な説明】
【００６９】
【図１】本発明の実施の形態に係る吸引用貯留器および吸引用貯留装置の構造を示す斜視図である。
【図２】吸引用貯留器１００をホルダーケース１０に装着した状態を示す平面図である。
【図３】袋状の貯留部４内の気体を吸引する状態を示す図である。
【図４】本発明の実施の形態に係る吸引側接続部材の一具体例を示す断面図である。
【図５】本発明の第２の実施の形態に係る吸引用貯留器および吸引用貯留装置の構造を示す斜視図である。
【図６】本発明の第３の実施の形態に係る吸引用貯留器の構成を示す斜視図である。本発明の実施の形態に係るホルダーケースの構造を示す正面図である。
【図７】本発明の実施の形態に係る吸引用貯留器および吸引用貯留装置の他の構成を示す図である。
【図８】従来の吸引用貯留器の構造を示す図である。
【符号の説明】
【００７０】
１  排液側接続部材
２  凝固剤投入口ネジキャップ
３  吸引側接続部材
４  貯留部
５  凝固剤投入口
６  吸入口
７，７Ａ  固定ガイド（被保持部）
８  収縮防止補助板
９  内部隔壁
１０，１０Ａ  ホルダーケース
１１  固定ベースホルダー
１２  固定ベース
１３，１３Ａ  固定レール
１４  基部
１５  ロック機構
１６  ピン部材
１７  筒部材
１００，１００Ａ，１００Ｂ  吸引用貯留器
【図１】
2007300954.tif 000003
【図２】
2007300954.tif 000004
【図３】
2007300954.tif 000005
【図４】
2007300954.tif 000006
【図５】
2007300954.tif 000007
【図６】
2007300954.tif 000008
【図７】
2007300954.tif 000009
【図８】
2007300954.tif 000010